(57)【特許請求の範囲】
【請求項１】
隣接する根太間に取り付けられる天井下地パネルにおいて、
前記根太の下面幅寸法と隣接する根太の内側側面間の寸法との合計幅寸法を有し、前記根太の下面に直接敷かれる含鉄粘弾性板と、前記含鉄粘弾性板を支持する網状支持材と、前記根太の下面幅部分以外の前記含鉄粘弾性板上に設けられる吸音材と、前記網状支持材の一方端に設けられた固定金具と、前記網状支持材の他方端に取り付けられた補強材とからなり、前記固定金具は、前記根太の外側面に固定され、前記補強材は、隣接する根太の下面に、隣接する網状支持材および含鉄粘弾性板を介して固定されることを特徴とする天井下地パネル。
【請求項２】
前記含鉄粘弾性板と前記吸音材との間に空気層が形成されていることを特徴とする、請求項１記載の天井下地パネル。
【請求項３】
前記空気層は、前記吸音材を上方に湾曲させることによって形成されることを特徴とする、請求項２記載の天井下地パネル。
【発明の詳細な説明】
【０００１】
【発明の属する技術分野】
この発明は、天井下地パネル、特に、上階の床からの下階への振動の伝播防止および下階の遮音効果が十分に得られ、しかも、優れた施工性を有する天井下地パネルに関するものである。
【０００２】
【従来の技術】
従来の床下構造として、図６に示すように、床根太２１にフローリング、石膏ボード等からなる床組２２が固定され、吊木２３に吸音板等の天井材２４が固定され、天井材２４上にグラスウール等の多孔質吸音材２５が取り付けられたものがあった。以下、従来技術１という。
【０００３】
また、図７に示すように、床根太２１にフローリング、石膏ボード等からなる床組２２が固定され、床根太２１間にグラスウール等の多孔質吸音材２５が取り付けられ、多孔質吸音材２５間の天井根太２６に穴あき吸音板等の天井材２４が固定されたものがあった。以下、従来技術２という。
【０００４】
【発明が解決しようとする課題】
上記従来技術１、２によれば、ある程度、上階の床からの下階への振動の伝播防止および下階の遮音効果が得られるが、十分な効果が得られていないのが現状である。また、天井材２４の施工性にも問題があった。
【０００５】
従って、この発明の目的は、上階の床からの下階への振動の伝播防止および下階の遮音効果が十分に得られ、しかも、優れた施工性を有する天井下地パネルを提供することにある。
【０００６】
請求項１記載の発明は、隣接する根太間に取り付けられる天井下地パネルにおいて、前記根太の下面幅寸法と隣接する根太の内側側面間の寸法との合計幅寸法を有し、前記根太の下面に直接敷かれる含鉄粘弾性板と、前記含鉄粘弾性板を支持する網状支持材と、前記根太の下面幅部分以外の前記含鉄粘弾性板上に設けられる吸音材と、前記網状支持材の一方端に設けられた固定金具と、前記網状支持材の他方端に取り付けられた補強材とからなり、前記固定金具は、前記根太の外側面に固定され、前記補強材は、隣接する根太の下面に、隣接する網状支持材および含鉄粘弾性板を介して固定されることに特徴を有するものである。
【０００７】
請求項２記載の発明は、前記含鉄粘弾性板と前記吸音材との間に空気層が形成されていることに特徴を有するものである。
【０００８】
請求項３記載の発明は、前記空気層は、前記吸音材を上方に湾曲させることによって形成されることに特徴を有するものである。
【００１０】
【発明の実施の形態】
次に、この発明の天井下地パネルの一実施態様を、図面を参照しながら説明する。
【００１１】
図１は、この発明の天井下地パネルを示す斜視図、図２は、この発明の天井下地パネルの床組への取り付け態様を示す断面図、図３は、この発明の天井下地パネルの取り付け方法を示す断面図、図４は、この発明の他の天井下地パネルを示す斜視図、図５は、この発明の他の天井下地パネルの床組への取り付け態様を示す断面図である。
【００１２】
図１から図５において、Ａは、この発明の天井下地パネルである。１は、根太２の下面幅寸法（Ｌ１）と隣接する根太２の内側面間の寸法（Ｌ２）との合計幅寸法（Ｌ）を有する含鉄粘弾性板である。含鉄粘弾性板１は、アスファルトに砂鉄を混合させたものからなり、優れた遮音性を有している。３は、含鉄粘弾性板１を支持する網状支持材であり、金網、エキスパンドメタル等からなっている。４は、含鉄粘弾性１板上に設けられる吸音材であり、グラスウール、ロックウール等からなっている。５は、支持材３の一方端に設けられた固定金具である。固定金具５は、根太２の外側面に釘等により固定される。６は、支持材３の他方端に支持材３の長手方向に固定された補強材であり、支持材３を補強する。７は、床組であり、合板、石膏ボード等からなる下地材８、含鉄粘弾性板９、フローリング等からなる仕上げ材１０からなっている。
【００１３】
このように構成されている、この発明の天井下地パネルＡを床組７に取り付けるには、図３に示すように、隣接する根太２間に下方から天井下地パネルＡを当てがい、固定金具５を一方の根太２の外側面に固定し、補強材６を他方の根太２の下面に、既に固定された天井下地パネルＡの端部Ａ０を介して固定する。これによって、天井下地パネルＡは、根太２を介して床組７の下方部に固定される。天井クロス等の仕上げ材は、天井下地パネルＡの下面に取り付けられる。
【００１４】
床組７を伝播する上階からの音は、吸音材４に吸音されると共に、含鉄粘弾性板９によって遮音されるので、大幅に減衰され、下階に伝播しにくくなる。この効果は、含鉄粘弾性板９が根太２の下面に敷かれることによっても生じる。一方、下階の部屋内の音も含鉄粘弾性板９によって遮音され、外部に漏れにくくなる。しかも、固定金具５を一方の根太２の外側面に固定し、補強材６を他方の根太２の下面に固定することによって、根太２の間隔が多少異なっても、容易に対応できる。さらに、室の大きさ、形状により付与する遮音性能が異なる場合、必要部分にのみ天井下地パネルＡを取り付ければ良いので、経済的である。
【００１５】
図４および５に示すように、吸音材４を上方に湾曲させることによって、含鉄粘弾性板１と吸音材４との間に空気層１１を形成すれば、吸音および遮音効果がさらに向上する。
【００１６】
【発明の効果】
以上説明したように、この発明によれば、根太の下面幅寸法と隣接する根太の内側側面間の寸法との合計幅寸法を有する含鉄粘弾性板と、前記含鉄粘弾性板を支持する網状支持材と、前記含鉄粘弾性板上に設けられる吸音材と、前記支持材の一方端に設けられた固定金具とにより構成し、前記固定金具を、前記根太の外側面に固定することによって、以下の効果がもたらされる。
【００１７】
（１）床組を伝播する上階からの音は、吸音材に吸音されると共に、含鉄粘弾性板によって遮音されるので、大幅に減衰され、下階に伝播しにくくなる。この効果は、含鉄粘弾性板が根太の下面に敷かれることによっても生じる。一方、下階の部屋内の音も含鉄粘弾性板によって遮音され、外部に漏れにくくなる。
【００１８】
（２）固定金具を一方の根太の外側面に固定し、補強材を他方の根太の下面に固定することによって、根太の間隔が多少異なっても、容易に対応できる。さらに、室の大きさ、形状により付与する遮音性能が異なる場合、必要部分にのみ天井下地パネルＡを取り付ければ良いので、経済的である。
【図面の簡単な説明】
【図１】この発明の天井下地パネルを示す斜視図である。
【図２】この発明の天井下地パネルの床組への取り付け態様を示す断面図である。
【図３】この発明の天井下地パネルの取り付け方法を示す断面図である。
【図４】この発明の他の天井下地パネルを示す斜視図である。
【図５】この発明の他の天井下地パネルの床組への取り付け態様を示す断面図である。
【図６】従来技術１を示す断面図である。
【図７】従来技術２を示す断面図である。
【符号の説明】
１：含鉄粘弾性板
２：根太
３：支持材
４：吸音材
５：固定金具
６：補強材
７：床組
８：下地材
９：含鉄粘弾性板
１０：仕上げ材
１１：空気層
２１：床根太
２２：床組
２３：吊木
２４：天井材
２５：多孔質吸音材
２６：天井根太
【図１】
0003958949.tif 000002
【図２】
0003958949.tif 000003
【図３】
0003958949.tif 000004
【図４】
0003958949.tif 000005
【図５】
0003958949.tif 000006
【図６】
0003958949.tif 000007
【図７】
0003958949.tif 000008